【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
フレームの各サブフレームのためのサブフレーム構成オプションを定義するアップリンク／ダウンリンク（ＵＬ／ＤＬ）構成を識別することと、
前記ＵＬ／ＤＬ構成に少なくとも部分的に基づいて、前記フレームのサブフレームのための制約を決定することと、
前記制約に少なくとも部分的に基づいて、前記サブフレームのための適応サブフレーム構成を決定することと、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信することと
を備える方法。
【請求項２】
前記サブフレーム構成オプションが、前記フレームの各サブフレームのための、スペシャルサブフレーム構成、ＤＬサブフレーム構成、または、ＵＬサブフレーム構成を備える、請求項１に記載の方法。
【請求項３】
前記制約は、前記サブフレームのための前記ＵＬ／ＤＬ構成がＤＬサブフレーム構成であるとき、セル固有基準信号（ＣＲＳ）送信またはマルチメディアブロードキャストマルチキャストサービス（ＭＢＭＳ）送信に少なくとも部分的に基づく、請求項１に記載の方法。
【請求項４】
前記制約は、前記サブフレームのための前記ＵＬ／ＤＬ構成がスペシャルサブフレーム構成であるとき、同期信号に少なくとも部分的に基づく、請求項１に記載の方法。
【請求項５】
前記制約は、前記サブフレームのための前記ＵＬ／ＤＬ構成がＵＬサブフレーム構成であるとき、サウンディング基準信号（ＳＲＳ）送信に少なくとも部分的に基づく、請求項１に記載の方法。
【請求項６】
前記ＵＬ／ＤＬ構成が、システム情報（ＳＩ）、拡張干渉管理およびトラフィック適応（ｅＩＭＴＡ）指示、またはＤＬハイブリッド自動再送要求（ＨＡＲＱ）基準構成のうちの少なくとも１つ、あるいはそれらの任意の組合せの受信に部分的に基づいて識別される、請求項１に記載の方法。
【請求項７】
前記適応サブフレーム構成の指示を１つまたは複数のユーザ機器（ＵＥ）に送信すること
をさらに備える、請求項１に記載の方法。
【請求項８】
基地局から前記適応サブフレーム構成の指示を受信することをさらに備え、ここにおいて、前記適応サブフレーム構成の前記決定が、前記指示に少なくとも部分的に基づく、請求項１に記載の方法。
【請求項９】
前記適応サブフレーム構成が、ＤＬ動作のためのシンボルパーティションの第１のセットと、ＵＬ動作のためのシンボルパーティションの第２のセットとを備える、請求項１に記載の方法。
【請求項１０】
前記適応サブフレーム構成が、２つまたはそれ以上の異なる開始シンボルを備え、ここにおいて、各開始シンボルが、あるタイプのＵＬ制御情報（ＵＣＩ）またはＵＬ共有データに関連する、請求項１に記載の方法。
【請求項１１】
前記適応サブフレーム構成が、周波数分割多重化（ＦＤＭ）構成または時分割多重化（ＴＤＭ）構成、あるいはそれらの組合せを備える、請求項１に記載の方法。
【請求項１２】
前記適応サブフレーム構成のＤＬ部分が、少なくとも１つの制御チャネルシンボル期間と少なくとも１つのデータチャネルシンボル期間とを備える、請求項１に記載の方法。
【請求項１３】
前記フレームの別のサブフレームに関する前記適応サブフレーム構成のための干渉統計値をワイヤレスネットワークの別の基地局と交換すること
をさらに備える、請求項１に記載の方法。
【請求項１４】
ワイヤレス通信のための装置であって、
フレームの各サブフレームのためのサブフレーム構成オプションを定義する第１のアップリンク／ダウンリンク（ＵＬ／ＤＬ）構成を識別するための手段と、
前記ＵＬ／ＤＬ構成に少なくとも部分的に基づいて、前記フレームのサブフレームのための制約を決定するための手段と、
前記制約に少なくとも部分的に基づいて、前記サブフレームのための適応サブフレーム構成を決定するための手段と、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信するための手段と
を備える装置。
【請求項１５】
ワイヤレス通信のためのコードを記憶する非一時的コンピュータ可読媒体であって、前記コードは、請求項１乃至１３のうちのいずれかによる方法を実行するためにプロセッサによって実行可能な命令を備える、非一時的コンピュータ可読媒体。
【手続補正２】
【補正対象書類名】明細書
【補正対象項目名】０１５６
【補正方法】変更
【補正の内容】
【０１５６】
[0166]添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
以下に本願の出願当初の特許請求の範囲に記載された発明を付記する。
［Ｃ１］
ワイヤレス通信の方法であって、
フレームの各サブフレームのためのサブフレーム構成オプションを定義するアップリンク／ダウンリンク（ＵＬ／ＤＬ）構成を識別することと、
前記ＵＬ／ＤＬ構成に少なくとも部分的に基づいて、前記フレームのサブフレームのための制約を決定することと、
前記制約に少なくとも部分的に基づいて、前記サブフレームのための適応サブフレーム構成を決定することと、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信することと
を備える方法。
［Ｃ２］
前記サブフレーム構成オプションが、前記フレームの各サブフレームのための、スペシャルサブフレーム構成、ＤＬサブフレーム構成、または、ＵＬサブフレーム構成を備える、Ｃ１に記載の方法。
［Ｃ３］
前記制約は、前記サブフレームのための前記ＵＬ／ＤＬ構成がＤＬサブフレーム構成であるとき、セル固有基準信号（ＣＲＳ）送信またはマルチメディアブロードキャストマルチキャストサービス（ＭＢＭＳ）送信に少なくとも部分的に基づく、Ｃ１に記載の方法。
［Ｃ４］
前記制約は、前記サブフレームのための前記ＵＬ／ＤＬ構成がスペシャルサブフレーム構成であるとき、同期信号に少なくとも部分的に基づく、Ｃ１に記載の方法。
［Ｃ５］
前記制約は、前記サブフレームのための前記ＵＬ／ＤＬ構成がＵＬサブフレーム構成であるとき、サウンディング基準信号（ＳＲＳ）送信に少なくとも部分的に基づく、Ｃ１に記載の方法。
［Ｃ６］
前記ＵＬ／ＤＬ構成が、システム情報（ＳＩ）、拡張干渉管理およびトラフィック適応（ｅＩＭＴＡ）指示、またはＤＬハイブリッド自動再送要求（ＨＡＲＱ）基準構成のうちの少なくとも１つ、あるいはそれらの任意の組合せの受信に部分的に基づいて識別される、Ｃ１に記載の方法。
［Ｃ７］
前記適応サブフレーム構成が、ユーザ機器（ＵＥ）のセットに対応する２つまたはそれ以上のシンボルパーティションを備える、Ｃ１に記載の方法。
［Ｃ８］
各シンボルパーティションが、ＤＬ部分と、ＵＬ部分と、ガード期間とを備え、ここにおいて、各パーティションのための前記ＤＬ部分は、別のシンボルパーティションのＵＬ部分が開始する前に終了する、Ｃ７に記載の方法。
［Ｃ９］
各シンボルパーティションが、ＵＥの前記セットのうちの対応するＵＥのための、ＤＬデータに対するＵＬデータの比率、ＵＬタイミングアドバンス、リンクバジェット、またはＵＥ処理能力に少なくとも部分的に基づく、Ｃ７に記載の方法。
［Ｃ１０］
前記適応サブフレーム構成の指示を１つまたは複数のユーザ機器（ＵＥ）に送信すること
をさらに備える、Ｃ１に記載の方法。
［Ｃ１１］
基地局から前記適応サブフレーム構成の指示を受信することをさらに備え、ここにおいて、前記適応サブフレーム構成の前記決定が、前記指示に少なくとも部分的に基づく、Ｃ１に記載の方法。
［Ｃ１２］
前記適応サブフレーム構成が、ＤＬ動作のためのシンボルパーティションの第１のセットと、ＵＬ動作のためのシンボルパーティションの第２のセットとを備える、Ｃ１に記載の方法。
［Ｃ１３］
前記適応サブフレーム構成が、２つまたはそれ以上の異なる開始シンボルを備え、ここにおいて、各開始シンボルが、あるタイプのＵＬ制御情報（ＵＣＩ）またはＵＬ共有データに関連する、Ｃ１に記載の方法。
［Ｃ１４］
前記適応サブフレーム構成が、ＵＬ制御チャネルとＵＬデータチャネルとを備える、Ｃ１に記載の方法。
［Ｃ１５］
前記適応サブフレーム構成が、ＵＬデータ部分とハイブリッド自動再送要求（ＨＡＲＱ）フィードバック部分とを備える、Ｃ１に記載の方法。
［Ｃ１６］
前記適応サブフレーム構成が、周波数分割多重化（ＦＤＭ）構成または時分割多重化（ＴＤＭ）構成、あるいはそれらの組合せを備える、Ｃ１に記載の方法。
［Ｃ１７］
前記適応サブフレーム構成のＤＬ部分が、少なくとも１つの制御チャネルシンボル期間と少なくとも１つのデータチャネルシンボル期間とを備える、Ｃ１に記載の方法。
［Ｃ１８］
ＤＬ許可が前記適応サブフレーム構成の第１の構造を示し、ＵＬ許可が前記適応サブフレーム構成の第２の構造を示す、Ｃ１に記載の方法。
［Ｃ１９］
前記適応サブフレーム構成が基準信号構成を備え、ここにおいて、前記基準信号構成の各基準信号が、前記サブフレームの始めに実質的に位置する、Ｃ１に記載の方法。
［Ｃ２０］
前記基準信号構成がチャネル状態情報（ＣＳＩ）基準信号（ＣＳＩ−ＲＳ）構成を備え、ここにおいて、前記ＣＳＩ−ＲＳ構成が動的にまたは半静的に示される、Ｃ１９に記載の方法。
［Ｃ２１］
前記適応サブフレーム構成が、ＤＬ動作またはＵＬ動作のうちの少なくとも１つのためのトランスポートブロックサイズ（ＴＢＳ）スケーリングパラメータに関連し、ここにおいて、前記ＴＢＳスケーリングパラメータが、前記適応サブフレーム構成に少なくとも部分的に基づいて決定される、Ｃ１に記載の方法。
［Ｃ２２］
前記適応サブフレーム構成が、前記フレームのＤＬサブフレーム、スペシャルサブフレーム、またはＵＬサブフレームに関連するハイブリッド自動再送要求（ＨＡＲＱ）プロセスのセットとは異なるＨＡＲＱプロセスに関連する、Ｃ１に記載の方法。
［Ｃ２３］
前記適応サブフレーム構成が、前記ＵＬ／ＤＬ構成に関連するソフトバッファの第２の部分とは異なる前記ソフトバッファの第１の部分に関連する、Ｃ１に記載の方法。
［Ｃ２４］
前記フレームの別のサブフレームに関する前記適応サブフレーム構成のための干渉統計値をワイヤレスネットワークの別の基地局と交換すること
をさらに備える、Ｃ１に記載の方法。
［Ｃ２５］
ワイヤレス通信のための装置であって、
フレームの各サブフレームのためのサブフレーム構成オプションを定義する第１のアップリンク／ダウンリンク（ＵＬ／ＤＬ）構成を識別するための手段と、
前記ＵＬ／ＤＬ構成に少なくとも部分的に基づいて、前記フレームのサブフレームのための制約を決定するための手段と、
前記制約に少なくとも部分的に基づいて、前記サブフレームのための適応サブフレーム構成を決定するための手段と、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信するための手段と
を備える装置。
［Ｃ２６］
前記適応サブフレーム構成の指示を１つまたは複数のユーザ機器（ＵＥ）に送信するための手段
をさらに備える、Ｃ２５に記載の装置。
［Ｃ２７］
基地局から前記適応サブフレーム構成の指示を受信するための手段をさらに備え、ここにおいて、前記適応サブフレーム構成を決定するための前記手段が、前記指示に少なくとも部分的に基づいて動作可能である、
Ｃ２５に記載の装置。
［Ｃ２８］
前記フレームの別のサブフレームに関する前記適応サブフレーム構成のための干渉統計値をワイヤレスネットワークの別の基地局と交換するための手段
をさらに備える、Ｃ２５に記載の装置。
［Ｃ２９］
ワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
フレームの各サブフレームのためのサブフレーム構成オプションを定義する第１のアップリンク／ダウンリンク（ＵＬ／ＤＬ）構成を識別することと、
前記ＵＬ／ＤＬ構成に少なくとも部分的に基づいて、前記フレームのサブフレームのための制約を決定することと、
前記制約に少なくとも部分的に基づいて、前記サブフレームのための適応サブフレーム構成を決定することと、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信することと
を行わせるように動作可能である、装置。
［Ｃ３０］
ワイヤレス通信のためのコードを記憶する非一時的コンピュータ可読媒体であって、前記コードは、
フレームの各サブフレームのためのサブフレーム構成オプションを定義する第１のアップリンク／ダウンリンク（ＵＬ／ＤＬ）構成を識別することと、
前記ＵＬ／ＤＬ構成に少なくとも部分的に基づいて、前記フレームのサブフレームのための制約を決定することと、
前記制約に少なくとも部分的に基づいて、前記サブフレームのための適応サブフレーム構成を決定することと、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信することと
を行うために実行可能な命令を備える、非一時的コンピュータ可読媒体。